(57)【要約】【課題】  本発明は、現場での各農作業者から現場である各圃場からの情報を発信すると共に、現場での各農作業者が情報を共有することで、円滑な農作業を行うことを課題とする。【解決手段】  作業者の端末（Ｔ）の画面（Ｇ）に圃場マップ（ＨＰ）を表示し、前記圃場マップ（ＨＰ）には、ある作業者が任意の圃場（Ｈ）に作業又は圃場（Ｈ）に関する情報を記入するメモ欄（Ｍ）を表示可能とし、該メモ欄（Ｍ）は、前記圃場（Ｈ）を指し示す指示部（Ｍｓ）を備えるものであって、前記メモ欄（Ｍ）は他の作業者の端末（Ｔ）の画面（Ｇ）にも表示する。【選択図】  図１
2019114191.tif 000002
【特許請求の範囲】
【請求項１】
作業者の端末（Ｔ）の画面（Ｇ）に圃場マップ（ＨＰ）を表示し、前記圃場マップ（ＨＰ）には、ある作業者が任意の圃場（Ｈ）に作業又は圃場（Ｈ）に関する情報を記入するメモ欄（Ｍ）を表示可能とし、該メモ欄（Ｍ）は、前記圃場（Ｈ）を指し示す指示部（Ｍｓ）を備えるものであって、前記メモ欄（Ｍ）は他の作業者の端末（Ｔ）の画面（Ｇ）にも表示することを特徴とする農作業管理システム。
【請求項２】
前記メモ欄（Ｍ）を記入から設定時間又は設定日が経過すると自動的に消去するか、記憶しておくかを選択するメモ欄記憶手段（２）を備えることを特徴とする請求項１記載の農作業管理システム。
【請求項３】
前記メモ欄（Ｍ）をどの作業者に閲覧可能かを設定する閲覧設定手段（３ｂ〜３ｄ）を備えることを特徴とする請求項１又は請求項２記載の農作業管理システム。
【請求項４】
圃場（Ｈ）における任意の一部領域（ｈ）を設定し、当該一部領域（ｈ）における作業又は圃場（Ｈ）の情報をメモ欄（Ｍ）に記入可能とすると共に、前記メモ欄（Ｍ）の指示部（Ｍｓ）は前記一部領域（ｈ）を指し示すことを特徴とする請求項１から請求項３のいずれかに記載の農作業管理システム。
【請求項５】
圃場マップ（ＨＰ）は、前記メモ欄（Ｍ）を表示する画面（Ｇ）と、圃場（Ｈ）の作業進捗情報を表示する画面（Ｇ）を切り換え可能に構成し、作業進捗情報を表示する画面（Ｇ）に切り換るとメモ欄（Ｍ）が非表示なることを特徴とする請求項１から請求項４のいずれかに記載の農作業の管理システム。
【請求項６】
圃場マップ（ＨＰ）に作業車両（Ｖ）が圃場（Ｈ）における走行中の経路（ＫＲ）を示す情報及び位置（Ｃ）を示す情報を表示すると共に、作業車両（Ｖ）の現在位置を示すマーク（Ｖｍ）を表示し、該マーク（Ｖｍ）又は前記位置（Ｃ）に前記メモ欄（Ｍ）の指示部（Ｍｓ）を指すことを特徴とする請求項１から請求項５のいずれかに記載の農作業管理システム。
【発明の詳細な説明】
【技術分野】
【０００１】
本発明は、農作業情報を端末で管理する技術に関する。
【背景技術】
【０００２】
特許文献１には、農作業者それぞれが携帯端末を所持し、管理者側の端末から各農作業者の携帯端末に農作業の計画を送信する技術が記載されている。
【０００３】
また、圃場マップで、圃場毎に管理する技術が記載されている。
【先行技術文献】
【特許文献】
【０００４】
【特許文献１】特許第６０３４７６９号公報
【発明の概要】
【発明が解決しようとする課題】
【０００５】
特許文献１については、一人の管理者から各農作業者に情報を発信するものであり、各農作業者からの現場での情報を発信する必要がある場合に課題があった。
【０００６】
本発明は、現場での各農作業者から現場である各圃場からの情報を発信すると共に、現場での各農作業者が情報を共有することで、円滑な農作業を行うことを課題とする。
【課題を解決するための手段】
【０００７】
かかる課題を解決するために、
請求項１記載の発明は、
作業者の端末（Ｔ）の画面（Ｇ）に圃場マップ（ＨＰ）を表示し、前記圃場マップ（ＨＰ）には、ある作業者が任意の圃場（Ｈ）に作業又は圃場（Ｈ）に関する情報を記入するメモ欄（Ｍ）を表示可能とし、該メモ欄（Ｍ）は、前記圃場（Ｈ）を指し示す指示部（Ｍｓ）を備えるものであって、前記メモ欄（Ｍ）は他の作業者の端末（Ｔ）の画面（Ｇ）にも表示することを特徴とする農作業管理システムとする。
【０００８】
これにより、現場のある作業者からの圃場情報や作業情報を他の作業者が共有することができ、円滑な農作業を行うことができる。また、メモ欄Ｍの指示部（Ｍｓ）を当該圃場（Ｈ）を指し示すことで圃場（Ｈ）の情報であることが視認し易い。
【０００９】
請求項２記載の発明は、
前記メモ欄（Ｍ）を記入から設定時間又は設定日が経過すると自動的に消去するか、記憶しておくかを選択するメモ欄記憶手段（２）を備えることを特徴とする請求項１記載の農作業管理システムとする。
【００１０】
これにより、不要なメモ欄Ｍが長く残ることにより圃場マップＨＰが視認し難くなることを防止できる。
【００１１】
請求項３記載の発明は、
前記メモ欄（Ｍ）をどの作業者に閲覧可能かを設定する閲覧設定手段（３ｂ〜３ｄ）を備えることを特徴とする請求項１又は請求項２記載の農作業管理システムとする。
【００１２】
これにより、作業者毎に必要なメモ欄（Ｍ）を表示することができ、不要なメモ欄Ｍが多く表示されることにより、圃場マップＨＰが視認し難くなることを防止できる。
【００１３】
請求項４記載の発明は、
圃場（Ｈ）における任意の一部領域（ｈ）を設定し、当該一部領域（ｈ）における作業又は圃場（Ｈ）の情報をメモ欄（Ｍ）に記入可能とすると共に、前記メモ欄（Ｍ）の指示部（Ｍｓ）は前記一部領域（ｈ）を指し示すことを特徴とする請求項１から請求項３のいずれかに記載の農作業管理システムとする。
【００１４】
これにより、圃場（Ｈ）の一部領域（ｈ）の情報を表示することにより、農作業を円滑にすることができる。
【００１５】
請求項５記載の発明は、
圃場マップ（ＨＰ）は、前記メモ欄（Ｍ）を表示する画面（Ｇ）と、圃場（Ｈ）の作業進捗情報を表示する画面（Ｇ）を切り換え可能に構成し、作業進捗情報を表示する画面（Ｇ）に切り換るとメモ欄（Ｍ）が非表示なることを特徴とする請求項１から請求項４のいずれかに記載の農作業の管理システムとする。
【００１６】
これにより、作業の進捗状況を確認するときにはメモ欄Ｍが表示されないので広域の圃場の作業進捗状況を視認し易くすることができる。
【００１７】
請求項６記載の発明は、
圃場マップ（ＨＰ）に作業車両（Ｖ）が圃場（Ｈ）における走行中の経路（ＫＲ）を示す情報及び位置（Ｃ）を示す情報を表示すると共に、作業車両（Ｖ）の現在位置を示すマーク（Ｖｍ）を表示し、該マーク（Ｖｍ）又は前記位置（Ｃ）に前記メモ欄（Ｍ）の指示部（Ｍｓ）を指すことを特徴とする請求項１から請求項５のいずれかに記載の農作業管理システムとする。
【００１８】
これにより、現在の位置情報と作業情報が同時に視認し易くすることができる。
【発明の効果】
【００１９】
本発明により、農作業の情報や圃場の情報を複数の作業者が共有することができ、円滑な農作業を行うことができる。
【図面の簡単な説明】
【００２０】
【図１】広範囲の圃場マップを示す図
【図２】システム図
【図３】狭い範囲の圃場マップを示す図
【図４】メモ欄の記入方法を示す図
【図５】作業進捗用の圃場マップを示す図
【発明を実施するための形態】
【００２１】
図１は、圃場マップＨＰを表示している端末Ｔの画面Ｇを示している。端末Ｔはパソコンやスマートフォンやタブレットであり、複数の作業者がそれぞれ携帯する。図２に示すように、各端末Ｔ１〜Ｔ４とサーバＳが通信で接続されている。
【００２２】
各作業者はそれぞれ圃場マップＨＰにメモ欄Ｍを作成して、農作業情報や圃場の情報を入力する。すると、このメモ欄Ｍは、サーバＳを介して、他の作業者が各自の端末Ｔを閲覧したときにも同様に表示されて作業者間で情報が共有できる。作業者はそれぞれ農作業を行いながら、適宜、端末Ｔを閲覧して、他の作業者の作業状況や、圃場Ｈの情報を確認する。メモ欄Ｍには、どの圃場Ｈの情報かが明確になるように圃場Ｈを指し示す指示部Ｍｓが形成されている。
【００２３】
メモ欄Ｍを作成するときには、メモ欄記入スイッチ１を操作して、次いで、任意の圃場Ｈの部位をタッチすると指示部Ｍｓが付いたメモ欄Ｍが表示される。そして当該メモ欄Ｍをタッチすると、図４（イ）に示すように、メモ欄Ｍと共にキーボードＫが画面Ｇに表示されてメモ欄Ｍに情報を記入する。
【００２４】
作業者がキーボードＫでメモ欄Ｍに情報を記入し終わると、図４（ロ）に示すように、メモ欄記憶スイッチ２と、閲覧権限設定スイッチ３（３ｂ〜３ｄ）とメモ欄設定スイッチ４が表示される。
【００２５】
メモ欄記憶スイッチ２を操作すると、手動で消去するまではその日以降も記憶する。メモ欄記憶スイッチ２を操作しないと、当該メモ欄Ｍが当日だけ表示して明日になると表示が消去される。これにより、当日以降も必要な情報は圃場マップＨＰに表示され続け、当日以降は不要なメモ欄Ｍは翌日に自動的に消去されることにより、不要なメモ欄Ｍが表示され続けて圃場マップＨＰ全体が見難くなることを防止できる。メモ欄記憶スイッチ２を操作しないとメモ欄Ｍが自動的に消去するタイミングは、日単位以外にも設定時間（例えば１２時間）でも良い。
【００２６】
また、閲覧権限設定スイッチ３（３ｂ〜３ｄ）で、作業者別に閲覧の権限を選択設定する。すなわち、当該情報を必要とする作業者のみに向けてメモ欄Ｍを作成することで、作業者によっては不要なメモ欄Ｍまで表示することにより、圃場マップＨＰのメモ欄Ｍが不要に増えて画面Ｇが見難くすることを防止することができる。図４では、作業者Ｂと作業者Ｃの端末に当該メモ欄Ｍを表示して閲覧できるように作業者Ａが設定していることを示している。
【００２７】
メモ欄設定スイッチ４を操作すると、メモ欄記憶スイッチ２と、閲覧権限設定スイッチ３（３ｂ〜３ｄ）で設定した内容が記憶されてメモ欄Ｍが圃場マップＨＰに表示される。
【００２８】
メモ欄Ｍを手動で消去する場合には、図４（ハ）に示すように、作成したメモ欄Ｍをタッチするとメモ欄Ｍが着色されると共に、メモ欄Ｍの脇に修正スイッチ５と消去スイッチ６が表示される。修正スイッチ５を操作すると、前述のキーボードＫが表示されてメモ欄Ｍの修正が可能になる。消去スイッチ６を操作するとメモ欄Ｍは消去される。
【００２９】
次に図３に基づいて、圃場マップＨＰの領域を拡大することで、前述の圃場Ｈのみならず、圃場一部領域ｈの情報をメモ欄Ｍに記入できる構成について説明する。
【００３０】
図１の拡大スイッチ７を操作すると徐々に狭い領域の圃場マップＨＰが拡大されて表示される（図３参照）。
【００３１】
図３において、メモ欄記入スイッチ１を操作し、圃場Ｈのある地点をタッチ又は一部の範囲を指等で操作して、指定する圃場一部領域ｈを設定するとメモ欄Ｍが表示される。あとは、図４と同様の操作でメモ欄Ｍに記入する。すると、指示部Ｍｓが当該圃場一部領域ｈを指示して表示される。圃場Ｈの一部のタッチによって圃場一部領域ｈの範囲を設定することで、圃場Ｈの状態を詳細に把握することができる。また、圃場Ｈの周辺の通路（畦・道路）Ｄも圃場Ｈと同様に通路一部領域ｄを設定してメモ欄Ｍを作成することができる。これにより、作業者の位置を他の作業者が把握し易くなる。圃場一部領域ｈ又は道路一部領域ｄを設定する場合には、拡大スイッチ７で設定以上拡大した圃場マップＭＰが表示された場合に設定できるようにすることで設定し易くすることができる。また、一部領域の範囲を任意に設定することで、適切な圃場情報や作業情報を設定できる。また、広域の圃場マップでも一部領域設定スイッチ（図示せず）を表示し、それを操作すると一部領域を設定できる構成にしても良い。
【００３２】
作業車ＶがＧＰＳ機能を搭載すると共に、作業車Ｖの情報をサーバＳ送信できる構成とする。すると、圃場Ｈを走行している作業車Ｖの経路ＫＲの情報と現在位置Ｃの情報と作業車ＶのマークＶｍが圃場マップＨＰに表示される。そして、作業者がマークＶｍをタッチするとメモ欄Ｍが表示され、同様に各種情報を記入する。この場合にはメモ欄Ｍの指示部Ｍｓは作業車Ｖを指し示す。これにより、ある作業者の現在の作業の情報を他の作業者が容易に把握できる。マークＶｍの代わりに位置Ｃをタッチしてメモ欄Ｍを作成するとメモ欄Ｍの指示部Ｍｓは移置Ｃを指し示す。
【００３３】
縮小スイッチ８を操作すると徐々に図３から広域の圃場マップＨＰを示す図１の画面に戻すことができる。図３で作成したメモ欄Ｍが図１にも表示されることは言うまでもない。
【００３４】
圃場一部領域ｈを設定してメモ欄Ｍを作成する場合に、拡大スイッチ７又は縮小スイッチ８を使用する以外に、図１でまず、任意の圃場Ｈをタッチして当該圃場Ｈを拡大表示させてから圃場一部領域ｈを設定し、次いで、メモ欄記入スイッチ１を操作してメモ欄Ｍを作成しても良い。
【００３５】
図１又は図３の画面切替スイッチ９を操作すると、図５の作業進捗用の圃場マップＨＰに切り換る。作業進捗スイッチ１０を操作して任意の圃場Ｈをタッチすると作業終了スイッチ（図示せず）や作業進行途中スイッチ（図示せず）等が表示され、それらを操作すると当該圃場Ｈがスイッチ毎に異なる色や図柄に変化する。この作業進捗用の圃場マップＨＰが表示される時にはメモ欄Ｍが非表示となる。これにより、広域の圃場の作業の進捗状況を把握し易くすることができる。
【００３６】
図１と図３と図５の圃場マップＨＰの情報は日毎に作業履歴として残すことも可能である。これにより、後日、作業を見直すことで、今後の作業計画を立てるのに寄与することができる。
【００３７】
また、メモ欄Ｍは色や図柄で緊急情報や連絡情報や圃場情報等で使い分けることができる。
【符号の説明】
【００３８】
１  メモ欄記入スイッチ
２  メモ欄記憶スイッチ
３  閲覧権限設定スイッチ
４  メモ欄設定スイッチ
Ｃ  位置（情報）
Ｇ  画面
Ｈ  圃場
ＨＰ  圃場マップ
ｈ  圃場一部領域
ＫＲ  経路（情報）
Ｍ  メモ欄
Ｍｓ  指示部
Ｔ  端末
Ｖ  作業車
Ｖｍ  マーク
【図１】
2019114191.tif 000003
【図２】
2019114191.tif 000004
【図３】
2019114191.tif 000005
【図４】
2019114191.tif 000006
【図５】
2019114191.tif 000007